(57)【要約】【課題】周辺機器等の干渉をできるだけ少なくし、交換工期、廃棄物やコストをできるだけミニマムにするケーブルペネトレーションを得ること。【解決手段】原子炉格納容器１を貫通するケーブルモジュール６を保持するケーブルペネトレーションにおいて、ケーブル保持部を複数のユニット２５ａ、２５ｂ、…に分割して工場もしくは現地で組立て、原子炉格納容器に貫挿されたスリーブ３内に各ユニット毎に現地で装荷し組立完成させる。【選択図】  図２
2004157050.tif 000002
【特許請求の範囲】
【請求項１】
原子炉格納容器を貫通するケーブルモジュールを保持するケーブルペネトレーションにおいて、ケーブル保持部を複数のユニットに分割して工場もしくは現地で組立て、原子炉格納容器に貫挿されたスリーブ内に各ユニット毎に現地で装荷し組立完成させることを特徴とするケーブルペネトレーション。
【請求項２】
各ユニットの軸方向寸法が、上記スリーブの両端に設けられたヘッダーリング或いは据付フランジと周辺機器との間の間隙寸法以内に設計されていることを特徴とする、請求項１記載のケーブルペネトレーション。
【請求項３】
各ユニットは、格納容器内側の据付フランジ側からスリーブ内に装荷し固定されることを特徴とする、請求項１または２記載のケーブルペネトレーション。
【請求項４】
各ユニットは、格納容器の両側からスリーブ内に装荷し固定されることを特徴とする、請求項１または２記載のケーブルペネトレーション。
【請求項５】
格納容器内側のユニットは、スリーブの内端に設けられた据付フランジの外部フランジ面に固定されることを特徴とする、請求項１ないし４のいずれかに記載のケーブルペネトレーション。
【請求項６】
各ユニットには、ケーブルモジュールを挿入しやすくするためのガイドパイプを設けたことを特徴とする、請求項１ないし５のいずれかに記載のケーブルペネトレーション。
【発明の詳細な説明】
【０００１】
【発明の属する技術分野】
本発明は原子炉格納容器にケーブルモジュールを貫通させ保持するためのケーブルペネトレーションに関する。
【０００２】
【従来の技術】
原子炉格納容器を貫通するケーブルは、図７に示すように、圧力バウンダリーを形成しているケーブルペネトレーションによって保持されている。
【０００３】
すなわち、原子炉格納容器１及び遮蔽壁２には管台としてのスリーブ３が貫通されており、そのスリーブ３の遮蔽壁２から外方に突出する先端部にはアダプター４を介してヘッダーリング５が取り付けられており、そのヘッダーリング５には複数のケーブルモジュール６が装着されている。上記ヘッダーリング５に装着されたケーブルモジュール６の各ケーブル７は、端子箱８に保持されている端末部９を介して外部ケーブル１０に接続されている。一方、上記スリーブ３内にはサポートロッド１１によって連結された複数のサポート１２からなるケーブル保持部が配設されており、そのケーブル保持部の各サポート１２に上記ケーブルモジュール６のケーブル部１３が挿通保持され、その各ケーブル部１３の先端が格納容器１内の端子箱１４内において端末部１５を介して内部ケーブル１６に接続されている。前記スリーブ３の格納容器内側には据付フランジ１７が取り付けられており、その据付フランジ１７に前記端子箱１４が保持されている。上記各サポート１２の外周にはカバー１８が装着され、サポート１２によって保持されたケーブル部１３を覆うように構成されており、そのカバー１８の格納容器内側先端部には、上記各サポート１２等を取付固定ボルト１９によりセンタリングし周方向の位置決めを行うシェル２０が設けられている。なお、図中符号２１は周辺機器である。
【０００４】
ケーブルペネトレーションは、ケーブルやケーブルの圧力バウンダリー貫通部にエポキシなどの有機材を使用していることから、寿命があるため、交換が必要になる。
【０００５】
また、ケーブルペネトレーションは、図７に示すモジュールタイプだけではなくヘッダーリング部に一体となったエポキシ充填ケーブル貫通部をもつキャニスター型がある。
【０００６】
これらのタイプを取り替えるときは、同図に示すアダプター４とスリーブ３の溶接部から切断しケーブルペネトレーション全体を取り外す。そして、新しく装荷するケーブルペネトレーションは、図７に示す形状に工場で製作して完成させ現地で組み込みヘッダーリング付きアダプター４とスリーブ３を溶接して完成させる。
【０００７】
【発明が解決しようとする課題】
ところで、従来技術のケーブルペネトレーションは、工場でヘッダーリング５からカバー１８とシェル２０までが一体となるように組立て、耐圧試験電気試験等を行い現地に輸送し、現地で相手の格納容器スリーブ３内に組み込みスリーブ３の端面とアダプター４を溶接することにより、格納容器に取り付けていた。
【０００８】
この場合、プラント建設時は、搬入ルートや据付場所に他の機器がとりつく前に据え付けるので干渉もなくスムーズに取り付けることができ合理的である。しかるに、既設プラントでのケーブルペネトレーションを交換する場合は、搬入ルート部や据付場所に他の機器が据え着けられているので、搬入と装荷の際に上記ケーブルペネトレーションが周辺機器と干渉することがあり、その干渉する機器類を撤去する必要があり、工期とコストがかかる等の問題があった。
【０００９】
また、周辺の機器配管類に崩壊熱除去系などの安全系に関わる配管がある場合は、その撤去等に非常に長期間を要し、場合によっては交換できない可能性もあった。
【００１０】
本発明は、このような点に鑑み、周辺機器等による干渉をできるだけ少なくし、交換工期、廃棄物やコストをできるだけミニマムにするケーブルペネトレーションを提供することを目的とする。
【００１１】
【課題を解決するための手段】
上記目的を達成するため、ケーブルペネトレーションは工場で仮組をしその完成状態での健全性を確認した後、各ユニットまで分解し現地そして格納容器の取付現場へ輸送し及び搬入し、現場で最終の組立を行う。
【００１２】
すなわち、請求項１に係る発明は、原子炉格納容器を貫通するケーブルモジュールを保持するケーブルペネトレーションにおいて、ケーブル保持部を複数のユニットに分割して工場もしくは現地で組立て、原子炉格納容器に貫挿されたスリーブ内に各ユニット毎に現地で装荷し組立完成させることを特徴とする。
【００１３】
請求項２に係る発明は、請求項１に係る発明において、各ユニットの軸方向寸法が、上記スリーブの両端に設けられたヘッダーリングもしくは据付フランジと周辺機器との間の間隙寸法以内に設計されていることを特徴とする。
【００１４】
請求項３に係る発明は、請求項１または２に係る発明において、各ユニットは、格納容器内側の据付フランジ側からスリーブ内に装荷し固定されることを特徴とする。
【００１５】
請求項４に係る発明は、請求項１または２に係る発明において、各ユニットは、格納容器の両側からスリーブ内に装荷し固定されることを特徴とする。
【００１６】
請求項５に係る発明は、請求項１ないし４のいずれかに係る発明において、格納容器内側のユニットは、スリーブの内端に設けられた据付フランジの外部フランジ面に固定されることを特徴とする。
【００１７】
請求項６に係る発明は、請求項１ないし５のいずれかに係る発明において、各ユニットには、ケーブルモジュールを挿入しやすくするためのガイドパイプを設けたことを特徴とする。
【００１８】
【発明の実施の形態】
以下、添付図面を参照して本発明の実施の形態を説明する。
【００１９】
図１は、本発明の実施の形態に関わるケーブルペネトレーションの全体構成を示す図、図２（ａ）、（ｂ）は図１の組立時の説明図である。
【００２０】
ケーブルペネトレーションは、図７に示したものとほぼ同様に構成されており、原子炉格納容器１にとりつく管台としてのスリーブ３と、スリーブ３の格納容器外にアダプター４を介して取り付けられたヘッダーリング５と、このヘッダーリング５に取り付けられたケーブルモジュール６と、ケーブルモジュール６のケーブル部１３を支えるサポート２２ａ、２２ｂ…と、サポート２２ａ、２２ｂ…を保持するサポートロッド２３ａ、２３ｂ…、また、これらをセンタリングし周方向の位置決めをするシェル２０と、ケーブルを外部ケーブル１０と接続する端末部９を保持サポートする端子箱８、格納容器内の端子箱１４を保持するための据付フランジ１７とから構成されている。
【００２１】
ところで、サポートとサポートロッドによって構成されているケーブル保持部は、例えば、２枚のサポート２２ａをサポートロッド２３ａにより連結し外周にカバー２４ａ（図２）を取り付けた第１のユニット２５ａと、１枚のサポート２２ｂとそれをサポート２２ａに連結するためのサポートロッド２３ｂとによる第２のユニット２４ｂと、１枚のサポート２２ｃとそれをサポート２２ｂに連結するためのサポートロッド２３ｃとによる第３のユニット２４ｃと、シェル２０とに分割されて工場等で組み立てられ、現地そして格納容器の取付現場へ輸送、搬入して、現場で最終の組立を行うようにしてある。
【００２２】
次に据付時の方法について図２（ａ）、（ｂ）を用いて説明する。まず端面を構成する２枚のサポート２２ａとサポートロッド２３ａをペネトレーション外であらかじめ組立て外側にはカバー２４ａを取り付けて第１のユニット２５ａを構成しておく。そして、この第１のユニット２５ａを据付フランジ１７側からスリーブ３内に挿入する。そこで、上記第１のユニット２５ａの端部がスリーブ３の端部から出ている状態で、上記サポート２２ａに対して第２のユニット２５ｂのサポートロッド２３ｂを取付け、その外面に分割されたカバー２４ｂを取り付け、このユニットを完成させる（図２（ａ））。
【００２３】
次に、図２（ｂ）に示すように、第２のユニット２５ｂを端部がスリーブ３から一部出ている状態にスリーブ３内に挿入し、上記サポート２２ｂに第３のユニット２５ｃのサポートロッド２３ｃを取付け、その外面に分割されたカバー２４ｃを取り付け、これらを更にスリーブ３内に挿入する。この時、各ユニット２５ａ、２５ｂ…の長さは周辺機器２１等と据付フランジ１７との間隔以下になるように構成されているため周辺機器２１等に干渉されることなく、容易にこれらのユニットをスリーブ３内に組み立てることができる。
【００２４】
このようにして、これらのユニットを順次組み立ててゆき最後にシェル２０を取付固定ボルト１９でセンタリングし、サポートを固定する。
【００２５】
この構成を図３に示す。
【００２６】
この後、ケーブルモジュール６をヘッダーリング５側から挿入し組み立てる。
【００２７】
次に、図１に示すように端子箱８を取付け、ケーブルの端末部９を外部ケーブル１０に接続し完成する。
【００２８】
図４は、他の実施の形態を示す図であり、据付フランジ１７側とヘッダーリング５の両方からサポートユニットを装荷するようにしたものである。すなわち、サポート２２ａ、２２ｂ、及び２２ｃを第１の実施の形態と同様に据付フランジ１７側から順次装荷するとともに、ヘッダーリング５側から、ヘッダーリング５にサポートロッド２３ｄにより直接連結されたサポート２２ｄをスリーブ３内に装荷する。なお、ヘッダーリング５は、サポートロッド２３ｄが連結されたサポート２２ｄをヘッダーリング５側からスリーブ３内に装荷した後に、スリーブ３側に溶接してもよい。
【００２９】
図５は、更に他の実施の形態を示す図であり、サポートロッド２３ａにより連結された２枚のサポート２２ａからなるユニットをヘッダーリング５側から装荷するとともに、サポートロッド２３ｃにより連結された２枚のサポート２２ｂ、２２ｃからなるユニットを据付フランジ１７側から装荷し、そのユニットに装着されたシェル２０を据付フランジ１７の外部フランジ面にボルト等により固定するようにしてある。
【００３０】
図６は、ケーブルモジュールを挿入するときに装荷し易いように各サポート２２ａとサポート２２ｃ間、及びサポート２２ｄにガイドパイプ３０ａ、３０ｂを取り付けたものである。
【００３１】
しかして、この場合には、サポートロッドの機能をガイドパイプ３０ａ、３０ｂにもたせることも可能なので、サポートロッドを省くこともできる。このガイドパイプは、図１の実施例でも取付が可能である。
【００３２】
【発明の効果】
本発明は上記のように構成したので、取替用のケーブルペネトレーションを周辺機器と干渉することなく据え付けることができ、周辺機器の撤去と復旧をする必要が無く大幅に作業工程を短縮することができるだけでなく、撤去に伴う放射性廃棄物の発生をなくすことができ、地球環境、工事工程及び発電所の稼働率の向上などに極めて高い効果をあげることができる。
【図面の簡単な説明】
【図１】本発明のケーブルペネトレーション装置全体の構成図。
【図２】（ａ）、（ｂ）は、図１のサポートユニット据付時の説明図。
【図３】（ａ）はサポートユニット据付完了時を示す図、（ｂ）は（ａ）のＡ−Ａ断面図、（ｃ）は（ａ）のＢ−Ｂ断面図。
【図４】本発明の変形例として、格納容器の両側からサポートを装荷するタイプのケーブルペネトレーション据付時の説明図。
【図５】図４のタイプのサポート固定方法の変形例を示す図。
【図６】ケーブルモジュール装荷時のガイドパイプ取付型ケーブルペンネトレーションの説明図。
【図７】
従来のケーブルペネトレーション装置全体の構成図。
【符号の説明】
１  原子炉格納容器
２  遮蔽壁
３  スリーブ
４  アダプター
５  ヘッダーリング
６  ケーブルモジュール
７  サポートロッド
２０  シェル
２１  周辺機器
１８、２４ａ、２４ｂ、２４ｃ  カバー
２２ａ、２２ｂ、２２ｃ、２２ｄ  サポート
２３ａ、２３ｂ、２３ｃ、２３ｄ  サポートロッド
３０ａ、３０ｂ  ガイドパイプ
【図１】
2004157050.tif 000003
【図２】
2004157050.tif 000004
【図３】
2004157050.tif 000005
【図４】
2004157050.tif 000006
【図５】
2004157050.tif 000007
【図６】
2004157050.tif 000008
【図７】
2004157050.tif 000009